(57)【要約】【課題】重量のあるＸ線照射装置を検査対象に対して移動させてＸ線撮影を行う場合に、簡単なジグの操作を行うだけで撮影ポイントへ移動させると共に焦点を検査対象に一致させ、作業者の負担を軽減する。【解決手段】幹管とこの幹管の側面から外方に延びる枝管との溶接部をＸ線撮影して検査を行う際に使用される、Ｘ線照射装置４０の照射部を前記溶接部に向けた状態で前記Ｘ線照射装置４０を支持する配管溶接部の検査用ジグに関し、前記枝管に装着させる装着部２と、この装着部２に取り付けられ、前記溶接部に対して所定の高さで、かつ、前記枝管の中心軸から半径方向外側の所定の位置にて前記Ｘ線照射装置４を所定の向きに維持させて支持する支持体５とを備え、前記支持体が、前記Ｘ線照射装置を前記枝管の中心軸を軸に回転させる配管溶接部の検査用ジグを使用する。【選択図】      図１
2004191097.tif 000002
【特許請求の範囲】
【請求項１】
幹管とこの幹管の側面から外方に延びる枝管との溶接部にＸ線を照射して、前記溶接部の検査を行う際に使用され、Ｘ線照射装置の照射部を前記溶接部に向けた状態で前記Ｘ線照射装置を支持する配管溶接部の検査用ジグにおいて、
前記枝管に装着させる装着部と、この装着部に取り付けられて、前記溶接部に対して所定の高さで、かつ、前記枝管の中心軸から半径方向外側の所定の位置にて前記Ｘ線照射装置を所定の向きに維持させて支持する支持体と、を備え
前記支持体が、前記Ｘ線照射装置を前記枝管の中心軸を軸に回転させることを特徴とする配管溶接部の検査用ジグ。
【請求項２】
前記支持体は、前記枝管の中心軸と同軸上に延び、前記装着部に対して着脱可能な支柱と、この支柱から半径方向外側に延びるようにその基部がこの支柱に保持され、その先端に前記Ｘ線照射装置が搭載される搭載部を有するアームと、このアームの基部を支柱に対して回転自在に保持させると共に、この支柱の軸方向における所定の位置に維持させるホルダと、を有し、
前記支柱と前記ホルダとには、互いに係合して、前記ホルダをこの支柱の軸方向に移動させると共に軸方向の任意の位置に係止させる移動手段を設け、この移動手段が、前記ホルダの移動に応じて前記アームの基部を前記支柱の軸方向における任意の位置に保持させることを特徴とする請求項１に記載の配管溶接部の検査用ジグ。
【請求項３】
前記搭載部は、前記アームの先端から外側方に向けて延びるガイドバーと、このガイドバーに対してスライド可能に前記ガイドバーに支持されたキャリヤとを備えたことを特徴とする請求項１又は請求項２に記載の配管溶接部の検査用ジグ。
【請求項４】
前記装着部は、この装着部が装着される前記枝管の被装着部のサイズに対応させて交換可能であることを特徴とする請求項１〜請求項３いずれか１項に記載の配管溶接部の検査用ジグ。
【発明の詳細な説明】
【０００１】
【発明の属する技術分野】
本発明は、配管同士の溶接部をＸ線撮影により検査する際に、Ｘ線照射装置を保持するための配管溶接部の検査用ジグに関する。
【０００２】
【従来の技術】
従来から配管同士の溶接部を検査する際に、Ｘ線撮影による検査が行われている。このＸ線撮影による検査は、溶接部にＸ線を照射して、Ｘ線の透過された溶接部の画像をフィルムに焼き付け、フィルムに映し出された画像を観察することで行われる検査である。配管同士の溶接部をＸ線撮影によって検査する場合、溶接部分の全周について撮影ポイントを少し移動させてフィルムを配置し、配置されたフィルムの位置に対応させてＸ線放射装置と配管との相対位置を変化させて行われている。この際、各撮影ポイント毎にＸ線照射装置から照射されるＸ線の焦点を正確に溶接部に合わせなければ、鮮明な画像を得ることができない。
【０００３】
しかしながら、Ｘ線照射装置は重く、これを移動させて焦点を正確に合わせることは極めて困難である。この問題点を解決するために、本件特許出願人は、焦点を極めて容易に合わせることができる検査用の補助装置に関する発明を既に開示している（特許文献１参照）。この先行文献にかかる検査用の補助装置は、径の比較的小さな配管であって、容易に手で持ち運ぶことが可能な配管同士の溶接部を検査する際になされた発明である。したがって、径が大きく重量の重い幹管を含む配管の検査には、この先行文献にかかる発明は適応していない。
【０００４】
このため、幹管と枝管との溶接部を検査する際には、図８に示すようにしてＸ線撮影をして検査を行っていた。この図８に示すように、枝管１０１との溶接部を、横たえられた幹管１００の外周面の上側と下側に位置させて、支持台１０４の上に幹管１００を搭載させておく。そして、上側に位置している溶接部に関しては、Ｘ線照射装置１０３を移動式リフター１０５の爪１０６に搭載し、当該移動式リフター１０５自体を移動させると共に爪１０６の高さを調節して、焦点合わせを行っていた。一方、下側に位置する溶接部に関しては、Ｘ線照射装置１０３を木材等の上に載せ、この木材上でＸ線照射装置１０３を前後左右に移動させると共に、Ｘ線照射装置１０３の中心軸に対して適宜回転させることで焦点を合わせていた。
【０００５】
【特許文献１】
特開２００１−２８９７９９号公報
【０００６】
【発明が解決しようとする課題】
しかしながら、Ｘ線照射装置は、重量の大きな装置であり、この図８に示すように、Ｘ線照射装置を移動させて溶接部の全周に関してＸ線撮影を行う場合、Ｘ線照射装置１０３の焦点を溶接部に合わせることは極めて困難であるばかりか、作業者に多大の負担を与えていた。
【０００７】
幹管１００の周面上部に位置する溶接部に焦点を合わせる場合には、上述のように、移動式リフター１０５自体を移動させて溶接部に対する相対位置を調節することに加え、爪１０６の高さをも調節する必要がある。この作業は、たとえ移動式リフター１０５を使用しても、重量のあるＸ線照射装置１０３を持ち上げ、このＸ線照射装置１０３を移動させなければならず、作業者にとっては重労働である。また、焦点を合わせるにあたり、たとえ、スケール等を使用した場合でも作業者の感に頼る部分が多く正確に焦点を合わせるには多くの手間と時間を要していた。
【０００８】
一方、幹管１００の周面下部に位置する溶接部については、重量の重いＸ線照射装置１０３を作業者が直に移動させて焦点を合わせなければならない。重量のあるＸ線照射装置１０３の位置を微調節して焦点を合わせる作業は、作業を行う者にとってかなりの重労働となる。この作業を、溶接部の全周について焦点合わせの作業を行うとなれば、作業者は多大な労力を負担することになる。
【０００９】
そこで、本発明では、以上に説明した問題点に鑑み、径が大きく人手で持ち運ぶことが困難な幹管を含む溶接部について、Ｘ線照射装置自体を移動させてＸ線撮影を行う場合でも、簡単なジグの操作を行うだけでＸ線撮影を行うことが可能な配管溶接部の検査用ジグを提供し、作業者の負担を大幅に軽減することを目的とする。
【００１０】
【課題を解決するための手段】
本発明では上記問題点を解決するために、幹管とこの幹管の側面から外方に延びる枝管との溶接部にＸ線を照射して、前記溶接部の検査を行う際に使用され、Ｘ線照射装置の照射部を前記溶接部に向けた状態で前記Ｘ線照射装置を支持する配管溶接部の検査用ジグにおいて、前記枝管に装着させる装着部と、この装着部に取り付けられて、前記溶接部に対して所定の高さで、かつ、前記枝管の中心軸から半径方向外側の所定の位置にて前記Ｘ線照射装置を所定の向きに維持させて支持する支持体とを備え、前記支持体が、前記Ｘ線照射装置を前記枝管の中心軸を軸に回転させる配管溶接部の検査用ジグを採用した。
【００１１】
本発明によれば、支持体が、Ｘ線照射装置と検査の対象となる溶接部との距離を一定に維持した状態でＸ線照射装置を移動させる。このため、重量のあるＸ線照射装置を作業者が直に移動させなくとも、ジグの簡単な操作だけでＸ線照射装置を撮影ポイントに移動させることができる。これにより、Ｘ線撮影による検査において、作業者の負担を大幅に軽減させる。
【００１２】
そして、上記配管溶接部の検査ジグに関し、前記支持体に、前記枝管の中心軸と同軸上に延び、前記装着部に対して着脱可能な支柱と、この支柱から半径方向外側に延びるようにその基部がこの支柱に保持され、その先端に前記Ｘ線照射装置が搭載される搭載部を有するアームと、このアームの基部を支柱に対して回転自在に保持させると共に、この支柱の軸方向における所定の位置に維持させるホルダとを設け、前記支柱と前記ホルダとには、互いに係合して、前記ホルダをこの支柱の軸方向に移動させると共に軸方向の任意の位置に係止させる移動手段を設けて、この移動手段が、前記ホルダの移動に応じて前記アームの基部を前記支柱の軸方向における任意の位置に保持させるように構成するとよい。
【００１３】
かかる構成によれば、Ｘ線照射装置の焦点を検査対象である溶接部に合わせるに当たり、アームを支柱に対して回転させてＸ線照射装置を撮影ポイントに対応する位置に移動させる一方で、ホルダを支柱の軸方向に移動させてアームを上下に移動させる。このように、焦点を合わせる作業についても、作業者はＸ線照射装置を直に移動させる必要が無く、ジグの簡単な操作を行うだけ容易に行える。即ち、Ｘ線照射装置の照射部の向きが溶接部から若干ずれていたとしても、Ｘ線照射装置の向きをそのままにしてアームの高さを変更させて、焦点の微調節を容易に行うことが可能となる。一旦、焦点を合わせてしまえば、Ｘ線照射装置は、支持体によって枝管の中心軸を軸として回転されるため、溶接部とＸ線照射装置との距離を一定に維持しつつ溶接部の全周にわたりＸ線を照射させることができる。
【００１４】
他方、前記枝管がその先端に半径方向外側に張り出すフランジを有する、いわゆるノズル管である場合、当該配管溶接部の検査用ジグがＸ線照射装置をフランジの外側方へ位置させることができるので、Ｘ線がフランジによって遮られてしまうことを防止できる。
【００１５】
また、上記配管溶接部の検査用ジグにおいて、前記搭載部が、前記アームの先端から外側方に向けて延びるガイドバーと、このガイドバーに対してスライド可能に前記ガイドバーに支持されたキャリヤとを備えるように構成するとよい。かかる構成を採用することで、Ｘ線照射装置を枝管の半径方向にも移動させることができ、一層迅速かつ正確に焦点合わせを行うことが可能となる。
【００１６】
なお、本発明では、この装着部が装着される前記枝管の被装着部のサイズに対応させて交換可能であることを特徴とする。
【００１７】
幹管に溶接された枝管はその用途などに応じて管径が異なる。枝管が、その先端にフランジを有するいわゆるノズル管で有る場合にフランジの径も管の径に応じて異なっていくる。本発明では、フランジ等のサイズに対応させて装着部を交換することで、様々な管径の枝管に適応させることができる。
【００１８】
【発明の実施の形態】
以下、本発明の実施の形態について図面を参照しながら説明する。
【００１９】
図１〜図３は本発明の一実施形態にかかる検査用ジグ１を示している。この検査用ジグ１は、幹管５０の外周面から枝管であるノズル管５１が幹管５０の半径方向外側に延びるように幹管５０とノズル管５１とが溶接された溶接部６０をＸ線撮影により検査する際に使用されるジグである。なお、以下の説明において、ノズル管５１とは配管の一端にこの配管の半径方向外側に張り出すフランジ５２を有する管のことを意味する。
【００２０】
この検査用ジグ１は、ノズル管５１の先端に設けられたフランジ５２に装着させる円盤状の装着部２と、この装着部２の中心にて装着部２に支持され、Ｘ線照射装置４０を支持する支持体５とを備えている。また、支持体５は、装着部２の中心に取り付けられて、この装着部２の中心軸上にて上下に延びる支柱６と、この支柱６から半径方向外側に延びるようにして基部９が支柱６に保持されたアーム８とから構成されている。そして、このアーム８の先端にはＸ線照射装置４０が搭載される搭載部１３が設けられている。なお、Ｘ線照射装置４０は、図１〜図３において破線で示された装置であり、検査の対象となる溶接部６０にＸ線を照射する装置である。このＸ線照射装置４０は円筒状に形成されていて、その外周面にＸ線を照射する照射部４１が設けられている。
【００２１】
装着部２は肉厚の厚い円盤状の部材からなり、その外周縁より所定の距離だけ内側に位置する円上に配された複数の貫通孔４…４が、肉厚方向に延びるように形成されている。これら貫通孔４…４は、ノズル管５１のフランジ５２部に形成された貫通孔と対応する位置に設けられている。装着部２は、その貫通孔４…４の位置をフランジ５２の貫通孔の位置と一致させ、これらにボルトＢ…Ｂを通し、各ボルトＢ…ＢにナットＮ…Ｎを締め付けることでノズル管５１に装着される。また、装着部２の中心には、支柱６が取り付けられる支持ナット３が装着部２の上面から上方に突出するようにして形成されている。この支持ナット３には当該装着部２の厚み方向に延びる雌ねじが形成されている。
【００２２】
支持体５を構成する支柱６は、その外周面に、アーム８を上下に移動させる移動手段としての雄ねじ７が形成された、円柱状の部材である。この支柱６は、その下部を装着部２の支持ナット３に締め込むことで装着部２に支持される。一方、この支柱６の軸方向の所定位置から半径方向に延びるアーム８は、筒状に形成された基部９と、この基部９と一体に形成され、基部９から半径方向外側に突出するブロック状の部材１０と、このブロック状の部材１０と直角をなしてその先端下部から延びる、パイプ材からなるアーム本体１１とを備えている。さらに、アーム８は、ブロック状の部材１０の上部とアーム本体１１の先端とを連結している、断面形状がＬ字のアングル材からなる補強部材１２を備えている。
【００２３】
筒状に形成された基部９は、その内部に支柱６が貫通されており、この支柱６を軸に回転可能に構成されている。このアーム８の基部９の上下には、当該アーム８を支柱６に保持させるホルダとしてのナット３０，３０が設けられている。このナット３０，３０は、アーム８の基部９の下部と上部とで、支柱６の外周面に形成された雄ねじ７と係合しておりアーム８の基部９を上下から挟み込むようにしてアーム８の基部９を支柱６の軸方向における所定の位置に保持させている。
【００２４】
このナット３０，３０の内周面に形成された雌ねじは支柱６の外周面に形成された雄ねじ７と共にアーム８を支柱６の軸方向に移動させると共に所定の位置に保持せしめる移動手段を構成している。これらナット３０，３０は支柱６の外周面に対して回転されると、支柱６の外周面に形成されたねじ山に噛み合いながら支柱６の軸方向に沿って上下に移動する。アーム８は、これらナット３０，３０の移動に伴い支柱６の軸方向にそって移動される。ナット３０，３０を支柱６の軸方向における任意の位置に留めておくことで、アーム８を支柱６の軸方向における任意の位置に保持させておくことができる。
【００２５】
そして、アーム８の先端に設けられた搭載部１３は、アーム本体１１の先端に取り付けられたベース部１４と、このベース部１４に対してアーム本体１１の軸方向と同方向にスライド可能に取り付けられたキャリヤ部１７とから構成されている。ベース部１４は、アーム本体１１と直角をなして水平に延びる基材部１５と、さらに当該基材部１５と直角をなして、相互に平行をなして外側方に延びる、一対のガイドバー１６，１６とから構成されている。一方、キャリヤ部１７は、各ガイドバー１６，１６の外周に被せるように配された、内部が空洞のパイプ材１８，１８と、これらパイプ材１８，１８の両端同士を連結するバー材１９，１９とを備え、外観が略矩形状に形成されている。また、各パイプ材１８，１８の上面には、その両端から所定の距離だけ中心側へ入り込んだ位置に、上方へ突出するストッパ２０，２０がそれぞれ取り付けられている。また、ガイドバー１６，１６の下面には、蝶ねじ２１，２１がそれぞれ取り付けられており、キャリヤ部１７をガイドバー１６，１６の軸方向の所望の位置で固定させている。
【００２６】
Ｘ線照射装置４０は、キャリヤ部１７を構成するパイプ材１８，１８の上に、これらパイプ材１８，１８と直交する向きで搭載される。搭載される位置は、各パイプ材１８，１８の上面に設けられたストッパ２０，２０同士の間である。搭載されたＸ線照射装置４０は、これらストッパ２０，２０によりキャリヤ部１７から脱落することが防止される。なお、Ｘ線照射装置４０は、その外周面に設けられたＸ線を照射せしめる照射部４１が検査の対象となる溶接部６０と対向するように、周方向の向きが予め調節された状態で搭載される。各パイプ材に取り付けられたストッパ２０，２０は、Ｘ線照射装置４０の外周面を両サイドから支持することで、調節されたＸ線照射装置４０の周方向の向きがずれてしまうことをも防止している。ただし、照射部４１が正確に溶接部６０と対向する向きに当該Ｘ線照射装置４０を搭載させることは極めて困難である。
【００２７】
この搭載部１３では、キャリヤ部１７をガイドバー１６，１６に沿ってスライドさせることで照射部４１の向きのずれを微調節している。例えば、照射部４１が相対的に下側に向けられた状態でキャリヤ部１７に搭載された場合には、図１に示すようにキャリヤ部１７をベース部１４の基材部１５側にスライドさせておき、蝶ねじ２１でキャリヤ部１７をベース部１４に固定する。一方、照射部４１が相対的に支柱６側に向けられた状態で搭載された場合には、図３に示すようにキャリヤ部１７を適切な位置まで外側に引き出し、その位置でキャリヤ部１７をベース部１４に固定する。
【００２８】
以上の構成を備えた配管溶接部６０の検査用ジグ１によれば、幹管５０とノズル管５１との溶接部６０は次のようにして検査される。
【００２９】
先ず、ノズル管５１のフランジ５２の径に対応する適切な径を有する装着部２を選択し、この装着部２に支持体５を取り付ける。支持体５の装着部２への取付けは、支持体５を構成する支柱６を装着部２の中央に設けられた支持ナット３にねじ込むことで行われる。次いで検査用ジグ１をノズル管５１の先端に形成されたフランジ５２の上に搭載させる。その後、装着部２に形成された貫通孔４…４をフランジ５２に形成された貫通孔の位置に一致させ、両者をボルトＢ…ＢとナットＮ…Ｎで固着する。
【００３０】
検査用ジグ１をノズル管５１に装着した後、支持体５を構成するアーム８の高さを調節する。高さ調節は、アーム８の基部９の上下に設けられたナット３０，３０を支柱６に対して回転させて支柱６の延びる上下方向に移動させることで行う。なお、Ｘ線照射装置４０の焦点は、Ｘ線照射装置４０毎に異なるので、使用するＸ線照射装置４０に対応させてアーム８の高さを調節する。次いで、高さ調節を終えたアーム８の搭載部１３にＸ線照射装置４０を搭載する。なお、このＸ線照射装置４０は、各パイプ材１８，１８の上面に設けられたストッパ２０，２０同士の間にパイプ材１８，１８の軸方向と直交する方向に向けられて搭載される。また、Ｘ線照射装置４０は、その照射部４１が検査対象である溶接部６０とほぼ対向する向きに調節される。
【００３１】
その後、搭載部１３のキャリヤ部１７をガイドバー１６，１６の軸方向に沿ってスライドさせ照射部４１を溶接部６０に対向させ、当該Ｘ線照射装置４０の焦点を確実に溶接部６０に一致させる。なお、搭載部１３の調節のみでは焦点を合わせることができない場合には、併せてアーム８の高さ調節も行う。図４は、以上の手順をふまえて検査用ジグ１をセットした状態を側方から見た図である。
【００３２】
検査用ジグ１をセットした後、溶接部６０にフィルム（不図示）を配置し、Ｘ線撮影を行う。フィルム（不図示）は、溶接部６０の形成されたノズル管５１の外周面に関して、所定の範囲毎にそれぞれ配置する。また、図５に示すようにフィルム（不図示）の配置された位置に対応させて、支柱６を軸にしてアーム８を回転させる。そして、フィルム（不図示）の配された所定の範囲毎にＸ線撮影を行う。この作業を全周にわたり行うことで、溶接部６０の全域について漏れのない検査を行うことができる。このように、当該検査用ジグ１によれば、支柱６を軸にしてアーム８を回転させる作業のみを行うだけでよく、Ｘ線撮影を開始する前にＸ線照射装置４０の溶接部６０に対する距離、Ｘ線を照射する照射部４１の向きを一度セットしておけば、その後、撮影ポイント毎にＸ線照射装置４０の溶接部６０に対する距離の調節及び照射部４１の向きの調節を行うことなく、常に焦点を溶接部６０に合わせておくことができる。
【００３３】
以上、支持体５を、装着せしめるノズル管５１の軸方向と同軸上に延びる支柱６と、この支柱６から半径方外側に延びるアーム８とで構成し、支柱６を軸にしてアーム８が回転されるようにした検査用ジグ１について説明したが、溶接部にＸ線照射装置の焦点を常に合わせておくことができれば、検査用ジグはかかる構成に限定されるものではない。
【００３４】
図６及び図７は、別の実施形態にかかる検査用ジグを模式的に示したものである。図６に示す検査用ジグ７０は、装着部７１と支持体７２とから構成されている。支持体７２は、装着させるフランジ付きノズル管の軸方向と同軸上に延びる支柱７３と、この支柱７３の軸方向における所定の位置にて半径方向外側に延びるアーム７４とから構成されている。アーム７４の先端には、Ｘ線照射装置が搭載される搭載部７５が設けられている。この搭載部７５はアーム７４の延びる半径方向にＸ線照射装置をスライド可能にしている。
【００３５】
この検査用ジグ７０では、支柱７３とアーム７４とが一体に形成されており、アーム７４は支柱７３に固定されている。一方、支柱７３は装着部７１に対して、支柱７３の中心軸を軸として回転可能に構成されている。
【００３６】
更に、図７に示すように検査用ジグを構成しても構わない。この図７に示す検査用ジグ８０は、ノズル管のフランジに装着させる装着部８１と、この装着部８１に下部が支持された支持体８２とから構成されている。支持体８２は、ノズル管の中心軸Ｌに対して斜めに傾くように形成され、その先端部分を半径方向外側に位置させている。この支持体８２は装着部８１に下部が支持されアーム８３とアーム８３の先端に設けられた搭載部８４とから構成されている。アーム８３の先端に設けられた搭載部８４はＸ線照射装置を半径方向にスライドさせている。
【００３７】
この検査用ジグ８０についても、支持体８２は、ノズル管の中心軸を軸に装着部に対して回転するようにその下端が装着部８１の中心に取り付けられている。
【００３８】
以上、幹管に溶接される枝管が、先端にフランジを備えたノズル管を例に配溶接部の検査用ジグについて説明したがこれに限定されるものではなく、ノズル管以外の枝管についても適用することができる。
【００３９】
たとえば、先端の外周面にねじ山の形成された継ぎ手が枝管である場合には、枝管のねじ部分に締め付けることが可能な雌ねじの形成されたカップリングを装着部として設けることで検査用ジグを安定した状態で枝管に装着させることができる。
【００４０】
【発明の効果】
以上、本発明によれば、配管溶接部の検査用ジグを構成する支持体が、検査対象となる溶接部とＸ線を照射するＸ線照射装置との距離を一定に保った状態でＸ線照射装置を枝管の中心軸に対して回転させるので、一旦、配管溶接部の検査用ジグを所定の状態にセットすれば、その後、焦点合わせを行うことなく、Ｘ線照射装置の焦点を検査対象となる溶接部に一致させた状態で検査を行うことができる。
【００４１】
また、支持体が枝管の中心軸と同軸上に延びる支柱と、この支柱を軸として回転されるアームとからなり、アームが支柱の軸方向に沿って移動することに加え、アームの先端に設けられた搭載部がＸ線照射装置を半径方向に位置移動させるので、焦点合わせを極めて容易に行うことができる。
【００４２】
さらに、枝管の管径に対応する複数の装着部を用意することで、１つの支持体で様々な管径に対応させることが可能な配管溶接部の検査用ジグとすることができる。
【００４３】
このように、検査の対象となる配管に、手で持ち運ぶことが困難な幹管を含むため、重量のあるＸ線照射装置自体を移動させてＸ線撮影を行う場合でも、作業者は、ジグの簡単な操作を行うだけでよく、Ｘ線照射装置を直に移動させる重労働から解放され、作業者の負担が大幅に軽減される。
【図面の簡単な説明】
【図１】本発明の一実施形態にかかる配管溶接部の検査用ジグの側面図。
【図２】図１に示す配管溶接部の検査用ジグの平面図。
【図３】図１に示す配管溶接部の検査用ジグについて、アームを引き出した状態を示す配管溶接部の検査用ジグの側面図。
【図４】配管溶接部の検査用ジグをノズル管の先端にセットした状態を示す図。
【図５】配管溶接部の検査用ジグを使用して溶接部を検査する状態を示す図。
【図６】別の実施形態にかかる配管溶接部の検査用ジグを模式的に示す図。
【図７】さらに別の実施形態にかかる配管溶接部の検査用ジグを模式的に示す図。
【図８】従来の手法により幹管と枝管との溶接部をＸ線撮影により検査する態様を示す説明図。
【符号の説明】
１，７０，８０  検査用ジグ
２，７１，８１  装着部
５，７２，８３  支持体
６，７３  支柱
８，７４  アーム
９  基部
１３，７５，８４  搭載部
１４  ベース部
１６  ガイドバー
１７  キャリヤ部
２０  ストッパ
３０  ナット（ホルダ）
４０  Ｘ線照射装置
４１  照射部
【図１】
2004191097.tif 000003
【図２】
2004191097.tif 000004
【図３】
2004191097.tif 000005
【図４】
2004191097.tif 000006
【図５】
2004191097.tif 000007
【図６】
2004191097.tif 000008
【図７】
2004191097.tif 000009
【図８】
2004191097.tif 000010